(57)【特許請求の範囲】
【請求項１】
映像信号及び又は音声信号を収録素材として蓄積した記憶手段から上記映像信号及び又は音声信号を読み出して編集加工する映像音声処理装置において、
上記映像音声処理装置の制御手段にネツトワークを介して接続された端末装置と、
上記端末装置で収録された音声フアイルを上記映像信号及び又は音声信号に対する編集素材として上記映像信号及び又は音声信号に合成する合成手段と
を具えることを特徴とする映像音声処理装置。
【請求項２】
上記映像音声処理装置は、
上記音声フアイルを上記映像信号及び又は上記音声信号とともに上記記憶手段に入力する
ことを特徴とする請求項１に記載の映像音声処理装置。
【請求項３】
上記映像音声処理装置は、
上記音声フアイルを上記ネツトワークを介して上記記憶手段に転送する
ことを特徴とする請求項１に記載の映像音声処理装置。
【請求項４】
上記合成手段は、
上記記憶手段から出力される上記映像信号及び又は上記音声信号を加工する編集手段を具え、
上記音声フアイルを上記ネツトワークを介して上記編集手段に転送し、当該編集手段において上記記憶手段から出力される映像信号及び又は音声信号に合成する
ことを特徴とする請求項１に記載の映像音声処理装置。
【請求項５】
上記記憶手段は、
上記映像信号及び又は上記音声信号を高圧縮して収録する高圧縮系と、
上記映像信号及び又は上記音声信号を非圧縮又は低圧縮して収録する低圧縮系と
を具え、上記端末装置は、上記高圧縮系の上記映像信号及び又は上記音声信号を処理する高圧縮系の端末装置であることを特徴とする請求項１に記載の映像音声処理装置。
【発明の詳細な説明】
【０００１】
【目次】
以下の順序で本発明を説明する。
【０００２】
発明の属する技術分野
従来の技術（図１０）
発明が解決しようとする課題
課題を解決するための手段
発明の実施の形態
（１）ニユース番組制作放送システムの構成（図１）
（２）映像音声編集処理
（２−１）第１の実施の形態（図２及び図３）
（２−２）第２の実施の形態（図４及び図５）
（２−３）第３の実施の形態（図６〜図９）
（２−４）他の実施の形態
発明の効果
【０００３】
【発明の属する技術分野】
本発明は映像音声処理装置に関し、例えばニユース番組制作放送システムの映像音声編集装置に適用して好適なものである。
【０００４】
【従来の技術】
従来、放送局におけるニユース番組制作放送システムの１つとして、図１０に示すように構成されたものがある。
【０００５】
かかる構成のニユース番組制作放送システム１においては、デイスクアレイ構成の記録再生部を有する第１及び第２のＡＶ(Audio Video) サーバ２、３と、複数台の編集装置４Ａ〜４Ｎと、このシステム１全体の制御を司るシステム制御部５と、各種データが格納されたデータ記憶装置６とがネツトワーク７を介して接続されることにより構成されている。そして、第１のＡＶサーバ２に、取材現場から伝送回線を介して転送又は取材テープから再生された非圧縮又は低圧縮された映像音声データＤ１Ａ〜Ｄ１Ｎが複数系統で供給される。
【０００６】
このとき、第１のＡＶサーバ２は、供給される映像音声データＤ１Ａ〜Ｄ１Ｎのなかからシステム制御部５の制御によつて指定された映像音声データＤ１（Ｄ１Ａ〜Ｄ１Ｎ）を取り込み、これをフアイル化して記録再生部の指定されたアドレス位置に格納する。
【０００７】
そして、この第１のＡＶサーバ２内に格納された各フアイルの映像音声データＤ１は、各編集装置４Ａ〜４Ｎをそれぞれ用いて当該第１のＡＶサーバ２から順次読み出すことができ、当該読み出した映像音声データＤ１に基づく映像を編集装置４Ａ〜４Ｎにモニタ表示させることができる。
【０００８】
また、オペレータは、この編集装置４Ａ〜４Ｎにモニタ表示された映像を目視確認しながら、映像音声データＤ１をどのように加工編集して放送用のニユース映像を作成するかといつた編集実行順序を規定したリスト（以下、これをＥＤＬ(Edit Decision List)と呼ぶ）を作成することができ、当該作成したＥＤＬを編集装置４Ａ〜４Ｎに登録し、これを実行させることができる。
【０００９】
実際上、編集装置４Ａ〜４Ｎは、ＥＤＬの実行時、第１のＡＶサーバ２を制御することにより、必要な映像音声データＤ１を読み出し、これをＥＤＬに基づいて加工編集すると共に、この編集処理により得られた映像音声データＤ２Ａ〜Ｄ２Ｎを第２のサーバ３に送出する。
【００１０】
このとき、第２のＡＶサーバ３は、編集済の映像音声データＤ２Ａ〜Ｄ２Ｎをシステム制御部５の制御によつて順次取り込み、これをフアイル化して記録再生部の指定されたアドレス位置に格納する。
【００１１】
そして、この第２のＡＶサーバ３に保持された映像音声データＤ２Ａ〜Ｄ２Ｎは、この後、データ記憶装置６内の管理情報に基づいて、システム制御部５の制御によつて必要な時刻に再生、伸長されて外部のオンエア装置（図示せず）に送出され、当該オンエア装置を介して放送される。
このようにして、このニユース番組制作放送システム１では、取材により得られた映像音声データＤ１Ａ〜Ｄ１Ｎを所望状態に編集して所定時間に放送することができる。
【００１２】
ここで、ニユース番組制作放送システム１において、映像音声データＤ１Ａ〜Ｄ１Ｎを編集する場合、当該映像音声データＤ１Ａ〜Ｄ１Ｎに例えば解説などの音声をかぶせる方法がある。この場合、音声ブース１１のマイクを用いて音声データＤ１１を得、これをＡＶサーバ２に音声フアイルとして収録する。この音声フアイルは、データ記憶装置６に登録され、編集時に編集装置４Ａ〜４Ｎに読み出され、映像音声データＤ１Ａ〜Ｄ１Ｎと合成される。
【００１３】
また、電話インタビユー等によつて得られる音声は、電話器１２を介して一旦テープレコーダ１３に録音された後、編集装置４Ａ〜４Ｎの外部音声入力としてこれらの編集装置４Ａ〜４Ｎに取り込まれ、映像音声データＤ１Ａ〜Ｄ１Ｎと合成される。
【００１４】
【発明が解決しようとする課題】
ところで、放送局の報道制作現場においては、映像音声データＤ１Ａ〜Ｄ１Ｎにかぶせる解説原稿は、記者がパーソナルコンピユータ構成の記者端末を用いて作成する。従つて、当該記者端末での原稿入力時に当該解説原稿による音声解説を合わせて入力することかできれば、一段と編集作業が容易になると考えられる。
【００１５】
本発明は以上の点を考慮してなされたもので、映像信号及び又は音声信号からなる収録素材に音声を合成編集する際の作業を一段と容易にし得る映像音声処理装置を提案しようとするものである。
【００１６】
【課題を解決するための手段】
かかる課題を解決するため本発明においては、映像信号及び又は音声信号を蓄積及び編集加工する映像音声処理装置において、ネツトワークを介して接続される端末上で収録された音声フアイルを、映像信号及び又は音声信号と合成し、映像系と同期させる。これにより、端末上で収録した音声フアイルは放送素材として編集作業で使用される。
【００１７】
【発明の実施の形態】
以下図面について、本発明の一実施の形態を詳述する。
【００１８】
（１）ニユース番組制作放送システムの構成
図１において、２０は全体として本発明を適用したニユース番組制作放送システムを示し、ＥＤＬを作成するためのオフラインＥＤＬ作成系２２と、加工編集した各映像音声データの送出時刻を規定したリスト（以下、これをオンエアリストと呼ぶ）やニユース原稿及び当該ニユース原稿の使用順番等を作成するためのオンエアリスト作成系２３と、オフラインＥＤＬ作成系２２において作成されたＥＤＬに基づいて編集処理を実行するオンライン編集送出系２４と、必要な映像音声データを保管するためのアーカイブ２５と、このニユース番組制作放送システム２０全体の制御を司るシステム制御部２６とから構成され、これらオフラインＥＤＬ作成系２２、オンエアリスト作成系２３、オンライン編集送出系２４、アーカイブ２５及びシステム制御部２６がＬＡＮ（Local Area Network）２７を介して接続されている。
【００１９】
この場合このニユース番組制作放送システム２０には、取材現場から電話回線又は衛星通信回線等の電送回線を介して転送され、又は取材テープからビデオテープレコーダにより再生された映像音声データＤ１０が複数系統で供給され、これがオンライン編集送出系２４のデイリーサーバ３０及びオフラインＥＤＬ作成系２２の入力バツフア装置３１に入力する。なお以下の説明においては、各映像音声データＤ１０は非圧縮又は低圧縮（例えばＭＰＥＧ（Moving Picture Experts Group）２  ４２２メインプロフアイルアツトメインレベル規格による圧縮）された状態で供給されるものとする。
【００２０】
デイリーサーバ３０においては、デイスクアレイ構成の記録再生部と、ＭＰＥＧ２に代表される専用の圧縮伸長部とを有する高速でのデータ入出力が可能なＡＶサーバでなり、システム制御部２６の制御のもとに、供給される各映像音声データＤ１０のなかから指定された複数系統の映像音声データＤ１０を同時に取り込み、これらをそれぞれフアイル化して記録再生部内の指定されたアドレス位置に格納する。
【００２１】
一方入力バツフア装置３１は、システム制御部２６の制御のもとに、供給される各映像音声データＤ１０のなかからデイリーサーバ３０と同じ系統の映像音声データＤ１０を順次取り込む。そして入力バツフア装置３１は、この取り込んだ映像音声データＤ１０が高速の場合には当該映像音声データＤ１０を複数チヤンネルに時分割すると共に、各チヤネルの映像音声データＤ１０をそれぞれ実時間に伸長し、かくして得られた各チヤネルの映像音声データＤ１１をそれぞれエンコーダ部３２に送出する。これに対して入力バツフア装置３１は、この取り込んだ映像音声データＤ１０が実時間速度である場合には、当該映像音声データＤ１０をそのままエンコーダ部３２に送出する。
【００２２】
エンコーダ部３２は、供給される各映像音声データＤ１１を順次取り込み、これをＪＰＥＧ（Joint Photographic Experts Group）方式等の所定の圧縮方式で２〔Mbps〕程度に高能率縮符号化し、得られた高圧縮符号化データＤ１２をクリツプサーバ３３に送出する。
【００２３】
クリツプサーバ３３は、デイスクアレイ構成の記録再生部を有するＡＶサーバでなり、入力する高圧縮符号化データＤ１２をシステム制御部２６の制御のもとに順次取り込み、これをフアイル化して記録再生部内の指定されたアドレス位置に格納する。
【００２４】
そしてこのクリツプサーバ３３に収録された各フアイルのデータ（高圧縮符号化データＤ１２）は、当該クリツプサーバ３３に接続されたパーソナルコンピユータ構成の複数台の各ＥＤＬ作成装置３４Ａ〜３４Ｎをそれぞれ用いて読み出すことができる。
【００２５】
実際上各ＥＤＬ作成装置３４Ａ〜３４Ｎは、ＥＤＬ作成モード時、オペレータにより所望のフアイルの読み出し命令が入力されると、クリツプサーバ３３及びＬＡＮ２７を順次介してシステム制御部２６にアクセスし、当該システム制御部２６を介してクリツプサーバ３３を制御することにより、当該クリツプサーバ３３に対応するフアイルの高圧縮符号化データＤ１２を順次読み出させる。
【００２６】
またＥＤＬ作成装置３４Ａ〜３４Ｎは、このクリツプサーバ３３から読み出させた高圧縮符号化データＤ２０を復号し、得られた映像音声データに基づく映像をモニタ表示する。
【００２７】
このときオペレータは、ＥＤＬ作成装置３４Ａ〜３４Ｎを介してクリツプサーバ３３を制御し、当該クリツプサーバ３３に所望の動作（再生、巻戻し又は早送り等）を実行させることができ、またこのとき当該ＥＤＬ作成装置３４Ａ〜３４Ｎのモニタに表示された映像を目視確認しながらイン点及びアウト点等の編集に必要な各種情報を当該ＥＤＬ作成装置３０Ａ〜３０Ｎに入力するようにしてＥＤＬを作成することができる。
【００２８】
さらにＥＤＬ作成装置３４Ａ〜３４Ｎは、作成されたＥＤＬに基づいてクリツプサーバ３３から対応する高圧縮符号化データＤ２０を読み出してこれを復号し、得られた映像音声データをＥＤＬに基づいて加工編集し、編集結果をモニタ表示することができ、これにより作成したＥＤＬに基づく編集結果をオペレータ及びデイテクタ等が確認することができるようになされている。
【００２９】
そしてこのＥＤＬ作成装置３４Ａ〜３４Ｎを用いて作成されたＥＤＬのデータ（以下、これをＥＤＬデータと呼ぶ）は、当該ＥＤＬ作成装置３４Ａ〜３４Ｎからクリツプサーバ３３及びＬＡＮ２７を順次介してシステム制御部２６に転送され、当該システム制御部２６の制御のもとに外部記憶装置３５にデータベースとして登録される。
【００３０】
一方オンエアリスト作成系２３においては、パーソナルコンピユータ構成のデータベース管理装置３６と、外部記憶装置３７と、データベース管理装置３６とネツトワーク３８を介して接続された複数台のパーソナルコンピユータ３９Ａ〜３９Ｎとから構成されており、これらパーソナルコンピユータ３９Ａ〜３９Ｎを用いてオンエアリストや、各ニユース番組における各ニユース項目のアナウンサが読む原稿を作成し得るようになされている。
【００３１】
そしてこれら作成されたオンエアリスト及び原稿の各データは、データベース管理装置３６の制御のもとに外部記憶装置３７にデータベースとして登録されると共に、オンエアリストのデータ（以下、これをオンエアリストデータと呼ぶ）がＬＡＮ２７を介してシステム制御部２６に与えられ、これが外部記憶装置３５にデータベースとして登録される。
【００３２】
そしてシステム制御部２６は、この外部記憶装置３５に登録されたＥＤＬデータ及びオンエアリストデータに基づいてオンライン編集送出系２４を制御する。
【００３３】
実際上システム制御部２６は、オンライン編集送出系２４のデイリーサーバ３０と接続された複数台の自動編集装置でなるＥＤＬ実行装置４０Ａ〜４０Ｃの稼働状態を常時監視しており、いずれかのＥＤＬ実行装置４０Ａ〜４０Ｃが先行する後述の編集処理を終了すると、外部記憶装置３５に記憶されたＥＤＬデータをオンエアリストデータに基づいてオンエアの早いものを優先的に読み出し、これをＬＡＮ２７を介してそのＥＤＬ実行装置４０Ａ〜４０Ｃに送出する。
【００３４】
ＥＤＬ実行装置４０Ａ〜４０Ｃは、システム制御部２６から与えられるＥＤＬデータに基づいてデイリーサーバ３０を制御し、当該デイリーサーバ３０に格納されている非圧縮又は低圧縮された映像音声データＤ１０のなかから必要な映像音声データＤ１０を順次読み出させる。またＥＤＬ実行装置４０Ａ〜４０Ｃは、この映像音声データＤ１０が低圧縮されている場合にはこれを復号した後、この映像音声データＤ１０を与えられたＥＤＬデータに基づいて指定された状態に加工編集し、得られた映像音声データＤ１３Ａ〜Ｄ１３Ｃをそれぞれオンエアサーバ４１に送出する。
【００３５】
なおデイリーサーバ３０にはマニユアル操作の編集装置４２も接続されており、オペレータが当該編集装置４２を用いてデイリーサーバ３０に格納された映像音声データＤ１０を読み出し、加工編集することもできる。そしてこの結果得られた編集された映像音声データＤ１３Ｄがオンエアサーバ４１に送出される。
【００３６】
オンエアサーバ４１は、デイスクアレイ構成の記録再生部を有するＡＶサーバでなり、入力する映像音声データＤ１３Ａ〜Ｄ１３Ｄをシステム制御部２６の制御のもとに順次取り込み、これをフアイル化して記録再生部内の指定されたアドレス位置に格納する。
【００３７】
そしてこのオンエアサーバ４１に収録された各フアイルデータ（編集された映像音声データＤ１３Ａ〜Ｄ１３Ｄ）は、この後外部記憶装置３５に格納されたオンエアリストデータに基づいて、ＬＡＮ２７に接続されたパーソナルコンピユータ構成のオンエアターミナル４９により送出時刻が管理され、指定された時刻になるとシステム制御部２６の制御のもとにオンエアサーバ４１から読み出されて図示しない後段のオンエア装置に送出される。
【００３８】
このようにしてこのニユース番組制作放送システム２０では、オフラインＥＤＬ作成系２２において作成されたＥＤＬに基づいてオンライン編集送出系２４において非圧縮又は低圧縮された映像音声データＤ１０を用いて編集処理を実行し、得られた映像音声データＤ１３Ａ〜Ｄ１３Ｄをオンエアリストに基づいてオンエア装置に送出し得るようになされ、これにより指定された時刻に指定された状態に編集されたニユース映像及び音声を放送させることができるようになされている。
【００３９】
かかる構成に加えこのニユース番組制作放送システム２０の場合、オンライン編集送出系２４には、例えばＭＯ（Magnnet Optical ）チエンジヤ等の安価なかつ記憶容量の大きい記録再生部を有するＡＶサーバでなるニアラインサーバ４３が設けられており、システム制御部２６の制御のもとに、デイリーサーバ３０及びオンエアサーバ４１に格納された映像音声データＤ１０、Ｄ１３Ａ〜Ｄ１３Ｄをニアラインサーバ４３に転送し、これを当該ニアラインサーバ４３内に格納することができるようになされている。
【００４０】
またニアラインサーバ４３内に格納された映像音声データＤ１０、Ｄ１３Ａ〜Ｄ１３Ｄは、システム制御部２６の制御のもとに、デイリーサーバ３０に転送して当該デイリーサーバ３０内に格納することができ、これにより高価なデイスクアレイ構成のデイリーサーバ３０の記録再生部の記憶容量を増加させることなく、オンライン編集送出系２４の入力段の記憶容量を増加させ得るようになされている。
【００４１】
さらにニアラインサーバ４３は、ＳＣＳＩ（Small Computer System Interface ）等の所定のインターフエースを介してアーカイブ２５内のカートマシン４４と接続されており、システム制御部２６の制御のもとに、ニアラインサーバ４３内の映像音声データＤ１０、Ｄ１３Ａ〜Ｄ１３Ｄをアーカイブ２５内のカートマシン４４に転送し、当該映像音声データＤ１０、Ｄ１３Ａ〜Ｄ１３Ｄをこのカートマシン４４を介して磁気テープ等の所定の記録媒体に記録することができる。これによりこのニユース番組制作放送システム２０では、必要な映像音声データを資料として保管し得るようになされている。
【００４２】
このときアーカイブ２５に設置されたパーソナルコンピユータ構成のデータベース管理装置４５には、システム制御部２６からＬＡＮ２７を介してその映像音声データＤ１０、Ｄ１３Ａ〜Ｄ１３Ｄの内容に関する各種管理データが供給される。そしてこの各種管理データがデータベース管理装置４５の制御のもとに、外部記憶装置４６に与えられ、データベースとして保存される。
【００４３】
さらにこのときアーカイブ２５のデータベース管理装置４５には、システム制御部２６の制御のもとに、オンエアリスト作成系２３のデータベース管理装置３６からＬＡＮ２７を介してその映像音声データに対応する原稿データを転送させることができ、これをデータベース管理装置４５の制御のもとに外部記憶装置４６内のデータベースに登録させることもできる。
【００４４】
またアーカイブ２５内に保管された磁気テープ等の記録媒体に記録された映像音声データＤ１０、Ｄ１３Ａ〜Ｄ１３Ｄは、カートマシン４４により再生してオフラインＥＤＬ作成系２２の入力バツフア装置３１及びオンライン編集送出系２４のデイリーサーバ３０に転送することができ、これにより保管した映像音声データＤ１０、Ｄ１３Ａ〜Ｄ１３Ｄを再び編集に利用することができるようになされている。
【００４５】
なおこのニユース番組制作放送システム２０の場合、ＬＡＮ２７にはパーソナルコンピユータ構成のフアイリングターミナル４７が接続されており、当該フアイリングターミナル４７を用いて、入力バツフア装置３１及びデイリーサーバ３０に取り込ませる映像音声データＤ１０の指定や、当該指定した映像音声データＤ１０のフアイル名の入力、及びデイリーサーバ３０に収録され映像音声データＤ１０の内容確認を行うことができる。
【００４６】
またこのニユース番組制作放送システム２０の場合、ＬＡＮ２７にはパーソナルコンピユータ構成のＥＤＬプレビユーターミナル４８も接続されており、当該ＥＤＬプレビユーターミナル４８を用いて外部記憶装置３５内に格納されたＥＤＬデータを読み出し、当該ＥＤＬデータに基づく編集をいずれかのＥＤＬ実行装置４０Ａ〜４０Ｃに実行させて、その実行結果をそのＥＤＬ実行装置４０Ａ〜４０Ｃに接続された図示しないモニタに表示させ、スピーカから出力させることができる。
【００４７】
さらにこのニユース番組制作放送システム２０の場合、オンエアターミナル４９を用いてオンエアサーバ４１に格納された所望のフアイルデータ（編集された映像音声データＤ１３Ａ〜Ｄ１３Ｄ）を読み出し、当該フアイルデータに基づく映像及び音声をオンエアサーバ４１に接続された図示しないモニタに表示させ、スピーカから出力させることができ、これによりオペレータが実際に放送される編集されたニユース映像を放送前に事前に確認することができるようになされている。
【００４８】
（２）映像音声編集処理
（２−１）第１の実施の形態
図１との対応部分に同一符号を付して示す図２は、映像音声データＤ１０に音声解説などの音声データＤ６０を合成し得るニユース番組制作放送システム６０を示し、図３に示す処理手順に従つて音声編集を行う。
【００４９】
すなわち図３のステツプＳＰ１１において記者は、パーソナルコンピユータ構成のＥＤＬ装置３４Ａ〜３４Ｎに接続されたモデム６１によつて電話インタビユー等の音声情報をＥＤＬ装置３４Ａ〜３４Ｎに入力する。そしてステツプＳＰ１２においてマイク６２を用いて解説等の音声情報を入力する。
【００５０】
このようにしてＥＤＬ装置３４Ａ〜３４Ｎに入力された音声情報は、ステツプＳＰ１３において当該ＥＤＬ装置３４Ａ〜３４Ｎ上で記者によつて加工編集され、当該ＥＤＬ装置３４Ａ〜３４Ｎに付加されているハードデイスク装置（ＨＤＤ）等でなる外部記憶装置に音声フアイルとして登録される。
【００５１】
またステツプＳＰ１４においてＥＤＬ装置３４Ａ〜３４Ｎは、システム制御部（ホストコンピユータ）２６に設けられた外部記憶装置３５内のデータベースにアクセスして音声フアイルの登録を行い、システム制御部２６に音声フアイル転送要求を送出する。このときステツプＳＰ１５においてシステム制御部２６はデイリーサーバ３０の入力端に設けられているスイツチ回路を制御し、デイリーサーバ３０の領域及び収録ポートを確保することによつて当該デイリーサーバ３０への音声データＤ６０の収録準備を行う。当該準備が完了すると、システム制御部２６はＥＤＬ装置３４Ａ〜３４Ｎに当該準備の完了を通知する。
【００５２】
これにより、ステツプＳＰ１６においてＥＤＬ装置３４Ａ〜３４Ｎは音声フアイルを再生し、再生された音声データＤ６０はデイリーサーバ３０のスイツチ回路を介して当該デイリーサーバ３０の指定された記録領域に収録される。因みに、このとき音声データＤ６０はオフラインＥＤＬ作成系２２の入力バツフア３１及びエンコーダ部３２を介して高圧縮された後、クリツプサーバ３３にも収録される。これにより、オフラインＥＤＬ作成系２２及びオンラインＥＤＬ実行送出系２４の双方において同じ音声データＤ６０が対応付けられて収録され、オフラインＥＤＬ作成系２２において当該収録された内容を確認しながら、ＥＤＬデータ等を作成することができる。
【００５３】
図３のステツプＳＰ１８においてＥＤＬ実行装置４０Ａ〜４０Ｃは、オンラインＥＤＬ作成系２２において作成されたＥＤＬデータに基づいて、デイリーサーバ３０内の映像音声フアイルにアクセスして編集を行う。ステツプＳＰ１９において当該ＥＤＬ実行装置４０Ａ〜４０Ｃによる編集が終了すると、当該ＥＤＬ実行装置４０Ａ〜４０Ｃは、外部記憶装置３５内のデータベースにアクセスし、編集済フアイルの登録を行い、システム制御部２６に転送要求を出す。
【００５４】
これにより、ステツプＳＰ２０において、システム制御部２６はオンエアサーバ４１の領域及び収録ポートを確保することによつて収録準備を行い、当該準備が完了すると、当該完了したことをＥＤＬ実行装置４０Ａ〜４０Ｃに通知する。この通知を受け取ることにより、ＥＤＬ実行装置４０Ａ〜４０ＣはステツプＳＰ２１において音声フアイルを再生し、編集済フイアルをオンエアサーバ４１に収録する。
【００５５】
以上の構成においてニユース番組制作放送システム６０（図２）は、記者端末として設けられているパーソナルコンピユータ構成のＥＤＬ作成装置３４Ａ〜３４Ｎで作成した音声フアイルは映像と合成され放送目的として利用される。また当該ＥＤＬ作成装置３４Ａ〜３４Ｎにおいてモデム６１を介して収録された電話音声情報は映像と合成され放送目的として利用される。
【００５６】
これにより以上の構成によれば、従来記者端末とは別途設けられていた音声ブースや電話音声収録機器を設ける必要がなく、ニユース番組制作放送システム６０の構成を簡単にすることができる。
【００５７】
また、ニユース番組制作放送システム６０内において音声情報はコンピユータフアイルとして存在することにより、他のシステムへのネツトワーク経由での転送を容易にすることができる。
【００５８】
（２−２）第２の実施の形態
図２との対応部分に同一符号を付して示す図４は、映像音声データＤ１０に音声解説などの音声データＤ６０を合成し得るニユース番組制作放送システム７０を示し、図５に示す処理手順に従つて音声編集を行う。
【００５９】
すなわち図５のステツプＳＰ３１において記者は、パーソナルコンピユータ構成のＥＤＬ装置３４Ａ〜３４Ｎに接続されたモデム６１によつて電話インタビユー等の音声情報をＥＤＬ装置３４Ａ〜３４Ｎに入力する。そしてステツプＳＰ３２においてマイク６２を用いて解説等の音声情報を入力する。
【００６０】
このようにしてＥＤＬ装置３４Ａ〜３４Ｎに入力された音声情報は、ステツプＳＰ３３において当該ＥＤＬ装置３４Ａ〜３４Ｎ上で記者によつて加工編集され、当該ＥＤＬ装置３４Ａ〜３４Ｎに付加されているハードデイスク装置等でなる外部記憶装置に音声フアイルとして登録される。
【００６１】
またステツプＳＰ３４においてＥＤＬ装置３４Ａ〜３４Ｎは、システム制御部（ホストコンピユータ）２６に設けられた外部記憶装置３５内のデータベースにアクセスして音声フアイルの登録を行い、システム制御部２６に音声フアイル転送要求を送出する。このときステツプＳＰ３５においてシステム制御部２６はデイリーサーバ３０の入力端に設けられているスイツチ回路を制御し、デイリーサーバ３０の領域及び収録ポートを確保することによつて当該デイリーサーバ３０への音声データＤ６０の収録準備を行う。当該準備が完了すると、システム制御部２６はＥＤＬ装置３４Ａ〜３４Ｎに当該準備の完了を通知する。
【００６２】
これにより、ステツプＳＰ３６においてＥＤＬ装置３４Ａ〜３４Ｎは音声フアイルをデータのままネツトワークを介して転送し、転送された音声データＤ６０はステツプＳＰ３７においてデイリーサーバ３０のオーデイオフアイル再生装置３０Ｂ（図４）を介してデイリーサーバ部３０Ａの指定された記録領域に収録される。
【００６３】
因みに、システム制御部２６の外部記憶装置３５内のデータベースに音声フアイルの登録を行う際に、音声データＤ６０はネツトワークを介してオフラインＥＤＬ作成系２２のクリツプサーバ３３にも収録される。これにより、オフラインＥＤＬ作成系２２及びオンラインＥＤＬ実行送出系２４の双方において同じ音声データＤ６０が対応付けられて収録され、オフラインＥＤＬ作成系２２において当該収録された内容を確認しながら、ＥＤＬデータ等を作成することができる。
【００６４】
図５のステツプＳＰ３８においてＥＤＬ実行装置４０Ａ〜４０Ｃは、オンラインＥＤＬ作成系２２において作成されたＥＤＬデータに基づいて、デイリーサーバ３０内のデイリーサーバ部３０Ａの映像音声フアイルにアクセスして編集を行う。ステツプＳＰ３９において当該ＥＤＬ実行装置４０Ａ〜４０Ｃによる編集が終了すると、当該ＥＤＬ実行装置４０Ａ〜４０Ｃは、外部記憶装置３５内のデータベースにアクセスし、編集済フアイルの登録を行い、システム制御部２６に転送要求を出す。
【００６５】
これにより、ステツプＳＰ４０において、システム制御部２６はオンエアサーバ４１の領域及び収録ポートを確保することによつて収録準備を行い、当該準備が完了すると、当該完了したことをＥＤＬ実行装置４０Ａ〜４０Ｃに通知する。この通知を受け取ることにより、ＥＤＬ実行装置４０Ａ〜４０ＣはステツプＳＰ４１において音声フアイルを再生し、編集済フイアルをオンエアサーバ４１に収録する。
【００６６】
以上の構成においてニユース番組制作放送システム６０（図２）は、記者端末として設けられているパーソナルコンピユータ構成のＥＤＬ作成装置３４Ａ〜３４Ｎで作成した音声フアイルは映像と合成され放送目的として利用される。また当該ＥＤＬ作成装置３４Ａ〜３４Ｎにおいてモデム６１を介して収録された電話音声情報は映像と合成され放送目的として利用される。
【００６７】
これにより以上の構成によれば、従来記者端末とは別途設けられていた音声ブースや電話音声収録機器を設ける必要がなく、ニユース番組制作放送システム７０の構成を簡単にすることができる。
【００６８】
また、ニユース番組制作放送システム６０内において音声情報はコンピユータフアイルとして存在することにより、他のシステムへのネツトワーク経由での転送を容易にすることができる。
【００６９】
（２−３）第３の実施の形態
図１との対応部分に同一符号を付して示す図６は、映像音声データＤ１０に音声解説などの音声データＤ６０を合成し得るニユース番組制作放送システム８０を示し、ＥＤＬ作成装置３４Ａ〜３４Ｎにおいてモデム６１又はマイク６２を介して入力された音声データは音声フアイルデータとしてＥＤＬ実行装置８０Ａ〜８０Ｃに入力され、ここで映像音声データＤ１０に合成される。
【００７０】
図７はＥＤＬ実行装置８０Ａ〜８０Ｃの詳細構成を示し、ネツトワーク２７を介して入力された音声フアイルデータはオーデイオフアイル再生装置８２において音声信号に変換され、スイツチ回路８３に送出される。スイツチ回路８３はデイリーサーバ３０から出力される映像音声信号Ｄ１０Ａ及びＤ１０Ｂの各音声信号ＤAUA 及びＤAUB とオーデイオフアイル再生装置８２において再生された音声信号ＤAU2 とを選択してオーデイオプロセツサ８４に送出する。オーデイオプロセツサ８４は、スイツチ回路８３の出力音声信号をミキシングして同期再生装置８６に送出する。
【００７１】
これに対して、デイリーサーバ３０から出力される映像音声信号Ｄ１０Ａ及びＤ１０Ｂの各映像信号ＤVDA 及びＤVDB は、それぞれビデオプロセツサ８５に入力され、加工された後、同期再生装置８６に送出される。同期再生装置８６は、映像及び音声を同期再生し、これをバツフア８７に送出する。バツフア８７は入力された編集済の映像音声信号を、編集済データＤ１３Ａ〜Ｄ１３Ｎとしてオンエアサーバ４１に送出する。
【００７２】
かかる構成のニユース番組制作放送システム８０は図８及び図９に示す処理手順に従つて音声編集を行う。
すなわち図８のステツプＳＰ５１において記者は、パーソナルコンピユータ構成のＥＤＬ装置３４Ａ〜３４Ｎに接続されたモデム６１によつて電話インタビユー等の音声情報をＥＤＬ装置３４Ａ〜３４Ｎに入力する。そしてステツプＳＰ５２においてマイク６２を用いて解説等の音声情報を入力する。
【００７３】
このようにしてＥＤＬ装置３４Ａ〜３４Ｎに入力された音声情報は、ステツプＳＰ５３において当該ＥＤＬ装置３４Ａ〜３４Ｎ上で記者によつて加工編集され、当該ＥＤＬ装置３４Ａ〜３４Ｎに付加されているハードデイスク装置（ＨＤＤ）等でなる外部記憶装置３４ａ〜３４ｎに音声フアイルとして登録される。
【００７４】
またステツプＳＰ５４においてＥＤＬ装置３４Ａ〜３４Ｎは、システム制御部（ホストコンピユータ）２６に設けられた外部記憶装置３５内のデータベースにアクセスして音声フアイルの登録を行う。このとき、音声フアイルは、ＥＤＬ作成装置３４Ａ〜３４Ｎの外部記憶装置３４ａ〜３４ｎからシステム制御部２６の外部記憶装置３５に転送されるとともに、クリツプサーバ３３にも転送される。
【００７５】
そしてステツプＳＰ５５において、ＥＤＬ実行装置８０Ａ〜８０ＣがＥＤＬデータに基づいて外部記憶装置３５のデータベースにアクセスし、編集目的映像／音声素材を検索及び選択する。システム制御部２６は、ステツプＳＰ５５において選択された素材をＥＤＬ実行装置８０Ａ〜８０Ｃからアクセスできるように素材フアイル及びサーバーポートを確保する。これにより、ステツプＳＰ５７においてＥＤＬ実行装置８０Ａ〜８０Ｃは、外部記憶装置３５内のデータベースにアクセスして解説や電話音声等の音声フアイルを検索及び選択する。
【００７６】
選択された音声フアイルは、ステツプＳＰ５８において外部記憶装置３５から音声フアイルデータとしてネツトワーク２７を介してＥＤＬ実行装置８０Ａ〜８０Ｃに転送される。転送された音声フアイルデータはステツプＳＰ５９において、ＥＤＬ実行装置８０Ａ〜８０Ｃのオーデイオフアイル再生装置８２によつて音声信号ＤAU2 に変換される。この音声信号はステツプＳＰ６０においてスイツチ回路８３に送出され、デイリーサーバ３０から出力された音声信号ＤAUA 、ＤAUB と切り換えられながら、オーデイオプロセツサ８４に送出される。
【００７７】
オーデイオプロセツサ８４は、ステツプＳＰ６１において複数の音声信号をミキシングし、これを同期再生装置８６に送出する。また、デイリーサーバ３０から出力された映像信号ＤVDA 、ＤVDB は、ステツプＳＰ６２において、ビデオプロセツサ８５を介して同期再生装置８６に送出される。
【００７８】
かくしてステツプＳＰ６３において、同期再生装置８６は映像及び音声を同期再生し、これをバツフア８７に送出する。このようにしてＥＤＬ実行装置８０Ａ〜８０Ｃにおける編集が終了すると、ステツプＳＰ６４において、ＥＤＬ実行装置８０Ａ〜８０Ｃは外部記憶装置３５内のデータベースにアクセスして編集済フアイルの登録を行い、システム制御部２６に転送要求を出す。
【００７９】
これにより、システム制御部２６はステツプＳＰ６５においてオンエアサーバ４１の領域及び収録ポートを確保し、収録準備を行う。収録準備が完了すると、当該完了したことをシステム制御部２６がＥＤＬ実行装置８０Ａ〜８０Ｃに通知する。
【００８０】
かくして、ステツプＳＰ６６において、ＥＤＬ実行装置８０Ａ〜８０Ｃは編集済の映像音声データＤ１３Ａ〜Ｄ１３Ｃをオンエアサーバ４１に送出することにより、編集済フアイルはオンエアサーバ４１に収録される。
【００８１】
以上の構成においてニユース番組制作放送システム６０（図２）は、記者端末として設けられているパーソナルコンピユータ構成のＥＤＬ作成装置３４Ａ〜３４Ｎで作成した音声フアイルは映像と合成され放送目的として利用される。また当該ＥＤＬ作成装置３４Ａ〜３４Ｎにおいてモデム６１を介して収録された電話音声情報は映像と合成され放送目的として利用される。
【００８２】
これにより以上の構成によれば、従来記者端末とは別途設けられていた音声ブースや電話音声収録機器を設ける必要がなく、ニユース番組制作放送システム８０の構成を簡単にすることができる。
【００８３】
また、ニユース番組制作放送システム６０内において音声情報はコンピユータフアイルとして存在することにより、他のシステムへのネツトワーク経由での転送を容易にすることができる。
【００８４】
また、ＥＤＬ作成装置３４Ａ〜３４Ｎにおいて作成された音声フアイルは、ＥＤＬ実行装置８０Ａ〜８０Ｃに転送されることにより、デイリーサーバ３０に記録する必要がなく、これにより当該デイリーサーバ３０の容量を他の素材を記録するために用いることができる。
【００８５】
また、同様にして音声フアイルをＥＤＬ実行装置８０Ａ〜８０Ｃに転送することにより、デイリーサーバ３０のサーバポートを他の目的で使用することかできる。
【００８６】
（２−４）他の実施の形態
なお上述の第１〜第３の実施の形態においては、ＥＤＬ作成装置３４Ａ〜３４Ｎにおいて作成された音声フアイルをクリツプサーバ３３に記録するようにしたが、本発明はこれに限らず、ＥＤＬ作成装置３４Ａ〜３４Ｎの各外部記憶装置（ハードデイスク装置等）３４ａ〜３４ｎに記録するようにしても良い。
【００８７】
また上述の第１〜第３の実施の形態においては、映像音声データＤ１０を高圧縮して収録するオフラインＥＤＬ作成系２２及び、映像音声データＤ１０を非圧縮又は低圧縮のまま収録するオンラインＥＤＬ実行送出系２４を有するニユース番組制作放送システム２０（６０、７０、８０）に本発明を適用したが、本発明はこれに限らず、オンラインＥＤＬ実行送出系２４だけをもつ編集装置等、要は音声信号を記者端末（ＥＤＬ作成装置）で入力し、編集素材として用いる装置であれば良い。
【００８８】
【発明の効果】
上述のように本発明によれば、映像信号及び又は音声信号を蓄積及び編集加工する映像音声処理装置において、ネツトワークを介して接続される端末上で収録された音声フアイルを、映像信号及び又は音声信号と合成し、映像系と同期させることにより、端末上で収録した音声フアイルを放送素材として使用することができる。
【図面の簡単な説明】
【図１】本発明による映像音声処理装置を用いたニユース番組制作放送システムの全体構成を示すブロツク図である。
【図２】第１の実施の形態によるニユース番組制作放送システムを示すブロツク図である。
【図３】第１の実施の形態における編集処理手順を示すフローチヤートである。
【図４】第２の実施の形態によるニユース番組制作放送システムを示すブロツク図である。
【図５】第２の実施の形態における編集処理手順を示すフローチヤートである。
【図６】第３の実施の形態によるニユース番組制作放送システムを示すブロツク図である。
【図７】第３の実施の形態におけるＥＤＬ実行装置を構成を示すブロツク図である。
【図８】第３の実施の形態における編集処理手順を示すフローチヤートである。
【図９】第３の実施の形態における編集処理手順を示すフローチヤートである。
【図１０】従来のニユース番組制作放送システムを示すブロツク図である。
【符号の説明】
１、２０、６０、７０、８０……ニユース番組制作放送システム、２２……オフラインＥＤＬ作成系、２４……オンライン編集送出系、２３……オンエアリスト作成系、２５……アーカイブ、２６……システム制御部、３４Ａ〜３４Ｎ……ＥＤＬ作成装置、３０……デイリーサーバ、３３……クリツプサーバ、４０Ａ、４０Ｂ、４０Ｃ、８０Ａ、８０Ｂ、８０Ｃ……ＥＤＬ実行装置、４１……オンエアサーバ、４３……ニアラインサーバ、４４……カートマシン、Ｄ１０……映像音声データ。
【図１】
0003919033.tif 000002
【図２】
0003919033.tif 000003
【図３】
0003919033.tif 000004
【図４】
0003919033.tif 000005
【図５】
0003919033.tif 000006
【図６】
0003919033.tif 000007
【図７】
0003919033.tif 000008
【図８】
0003919033.tif 000009
【図９】
0003919033.tif 000010
【図１０】
0003919033.tif 000011